(57)【要約】【課題】耐震構造のドア用錠受の防犯性を向上させることである。【解決手段】ドア枠Ｆに固定される箱状の固定部材１の両側の側壁に垂直方向に延びる長孔１ｂを設け、デッドボルトＡとラッチボルトＢを受け入れる可動筒２の両側の側壁には、固定部材１の長孔１ｂと対応する位置で水平方向に延びる長孔２ｂを設けて、これらの各長孔１ｂ、２ｂを貫通する保持ピン６で可動筒２を保持することにより、可動筒２を固定部材１に対して相対移動可能とする耐震構造を形成しつつ、従来よりも固定部材１の側壁の窓面積を小さくし、また固定部材１の長孔１ｂと正面側開口との間の距離ＬA が長くとれるようにして、固定部材１の強度を向上させ、バール等によるこじ開けに対しても変形しにくいようにしたのである。【選択図】図１
2006257738.tif 000002
【特許請求の範囲】
【請求項１】
ドアの側端面に対して開口する状態でドア枠に固定される箱状の固定部材と、ドア側端面から上下に並んで突出するデッドボルトとラッチボルトを受け入れる受入口を有し、前記固定部材内にその内面と所定の間隔をおいて保持される可動筒とを備え、前記可動筒がドア側から外力を受けたときには、前記固定部材内面との間隔の範囲で固定部材と相対移動するようにしたドア用錠受において、前記固定部材の両側の側壁に互いに平行に延びる長孔を設け、前記可動筒の両側の側壁には前記固定部材の長孔と直交する長孔を設けて、これらの各長孔を貫通する保持ピンで前記可動筒を保持するようにしたことを特徴とするドア用錠受。
【請求項２】
前記固定部材の長孔の延びる方向を垂直方向とし、前記可動筒の長孔の延びる方向を水平方向としたことを特徴とする請求項１に記載のドア用錠受。
【請求項３】
ドアの側端面に対して開口する状態でドア枠に固定される箱状の固定部材と、ドア側端面から上下に並んで突出するデッドボルトとラッチボルトを受け入れる受入口を有し、前記固定部材内にその内面と所定の間隔をおいて保持される可動筒とを備え、前記可動筒がドア側から外力を受けたときには、前記固定部材内面との間隔の範囲で固定部材と相対移動するようにしたドア用錠受において、前記可動筒の中央部に、ラッチボルト下面と前記受入口の下端縁との隙間よりも小さい隙間をおいてデッドボルトの下方に位置するデッドボルト受板を設けたことを特徴とするドア用錠受。
【発明の詳細な説明】
【技術分野】
【０００１】
本発明は、地震発生時にも確実にドアの解錠ができる耐震構造のドア用錠受に関する。
【背景技術】
【０００２】
集合住宅等のドアは、一般に、ドア側に設けた錠のデッドボルトをドア枠に取り付けた錠受に差し込むことにより施錠されるようになっているが、施錠した状態で地震が発生したときには、デッドボルトと錠受とが干渉して解錠できなくなり、人が室内に閉じ込められるおそれがある。このため、最近の錠受には、地震発生時にも確実にドアの解錠ができる耐震構造のものが徐々に増えてきている。このような耐震構造の錠受としては、図５に示すように、ドア枠Ｆに固定した箱状の固定部材５１の内側に、デッドボルトＡとラッチボルトＢを受け入れる受入口５２ａを有する可動筒５２を、固定部材５１の内面と所定の間隔をおいて保持し、可動筒５２がドアＤ側から外力を受けたときに固定部材５１と相対移動するようにして、地震発生時のデッドボルトＡとの干渉を生じにくくしたものがある（例えば、特許文献１参照。）。
【０００３】
上記特許文献１に記載された錠受では、図５に示したように、可動筒５２を保持するための保持ピン５３を、可動筒５２の両側壁に設けた挿通孔５２ｂに通し、固定部材５１の両側壁に設けた窓状の切欠き５１ａの係合部５１ｂに係合させるとともに、固定部材５１の切欠き５１ａにその係合部５１ｂから上下方向および奥行き方向に広がる保持ピン逃し部５１ｃを形成することにより、可動筒５２を固定部材５１に対して相対移動可能としている。
【０００４】
ところが、前記固定部材５１は、切欠き５１ａの面積が広いうえ、その係合部５１ｂと正面側開口との間の距離ＬB が短く、強度が低いため、バール等の工具によるこじ開けが行われた場合に変形しやすく、防犯性の面で難点がある。
【０００５】
また、前記可動筒５２の中央部には、ドアＤが可動筒５２に対して下方へ相対移動したときにデッドボルトＡを受ける受棒５４が設けられているが、その位置によっては、デッドボルトＡが受棒５４と当接する前にラッチボルトＢが可動筒５２の受入口５２ａ下端縁と接触して衝撃を受け、ドアＤを開くことができなくなるおそれがある。
【特許文献１】特開２００４−３６２８４号公報
【発明の開示】
【発明が解決しようとする課題】
【０００６】
本発明の第１の課題は、耐震構造のドア用錠受の防犯性を向上させることであり、第２の課題は、その耐震性能をさらに高めることである。
【課題を解決するための手段】
【０００７】
上記第１の課題を解決するために、本発明は、ドアの側端面に対して開口する状態でドア枠に固定される箱状の固定部材と、ドア側端面から上下に並んで突出するデッドボルトとラッチボルトを受け入れる受入口を有し、前記固定部材内にその内面と所定の間隔をおいて保持される可動筒とを備え、前記可動筒がドア側から外力を受けたときには、前記固定部材内面との間隔の範囲で固定部材と相対移動するようにしたドア用錠受において、前記固定部材の両側の側壁に互いに平行に延びる長孔を設け、前記可動筒の両側の側壁には前記固定部材の長孔と直交する長孔を設けて、これらの各長孔を貫通する保持ピンで前記可動筒を保持するようにした。
【０００８】
すなわち、可動筒を固定部材および可動筒の両側壁を貫通する保持ピンで保持するようにし、保持ピンを通す固定部材と可動筒の孔を互いに直交する長孔とすることにより、可動筒を固定部材に対して相対移動可能とする耐震構造を形成しつつ、従来よりも固定部材の側壁の窓面積を小さくして固定部材の強度を向上させたのである。
【０００９】
ここで、前記固定部材の長孔の延びる方向を垂直方向とし、前記可動筒の長孔の延びる方向を水平方向とすれば、固定部材の長孔と正面側開口との間の距離が長くとれ、固定部材の強度をさらに向上させることができる。
【００１０】
そして、第２の課題を解決するために、本発明は、ドアの側端面に対して開口する状態でドア枠に固定される箱状の固定部材と、ドア側端面から上下に並んで突出するデッドボルトとラッチボルトを受け入れる受入口を有し、前記固定部材内にその内面と所定の間隔をおいて保持される可動筒とを備え、前記可動筒がドア側から外力を受けたときには、前記固定部材内面との間隔の範囲で固定部材と相対移動するようにしたドア用錠受において、前記可動筒の中央部に、ラッチボルト下面と前記受入口の下端縁との隙間よりも小さい隙間をおいてデッドボルトの下方に位置するデッドボルト受板を設けることにより、ドアが可動筒に対して下方へ相対移動したときに、ラッチボルトが可動筒と接触する前にデッドボルトを受板に当接させて、ラッチボルトと可動筒の干渉を防止できるようにしたのである。
【発明の効果】
【００１１】
本発明のドア用錠受は、上述したように、可動筒を保持する保持ピンを通すための固定部材と可動筒の側壁の窓を、互いに直交する長孔とすることにより、前述した従来の錠受に比べて固定部材の側壁の窓面積を小さくし、固定部材の強度を向上させたものであるから、バール等によるこじ開けに対しても変形しにくく、防犯性に優れている。
【００１２】
また、ドアが可動筒に対して下方へ相対移動したときに、ラッチボルトが可動筒と接触する前に、デッドボルトが可動筒の中央部に設けたデッドボルト受板に当接するようにしたので、地震発生時にもラッチボルトと可動筒とが干渉するおそれがなく、耐震性能の点でも従来のものより優れている。
【発明を実施するための最良の形態】
【００１３】
以下、図１乃至図４に基づき、この発明の実施形態を説明する。このドア用錠受は、図１および図２に示すように、ドアＤの側端面に対して開口する状態でドア枠Ｆに固定される箱状の固定部材１と、ドアＤ側端面から上下に並んで突出する鎌付きデッドボルトＡとラッチボルトＢを受け入れる受入口２ａを有し、固定部材１内にその内面と所定の間隔をおいて保持される可動筒２と、固定部材１および可動筒２を覆うカバー３とで基本的に構成されている。また、可動筒２は、内筒部材４と、この内筒部材４にドアＤ側から被せられる補強材としての外筒部材５とからなる。
【００１４】
前記固定部材１は、上下の開口縁部１ａでドア枠Ｆにねじ止めされており、両側の側壁には、上下の２箇所に垂直方向に延びる長孔１ｂが設けられている。
【００１５】
前記可動筒２は、図３にも示すように、内筒部材４の上下の正面壁にねじ孔４ａが、外筒部材５の上下の正面壁に通孔５ａがそれぞれ設けられ、両筒部材４、５が密着した状態でカバー３と一体にねじ止めされている。また、各筒部材４、５の両側の側壁には、固定部材１の長孔１ｂと対応する位置に水平方向に延びる長孔２ｂが設けられており、これらの長孔１ｂ、２ｂを貫通する保持ピン６に保持されて、側壁に平行な面内で固定部材１に対して相対移動可能となっている。
【００１６】
なお、図３に示したように、保持ピン６は、一端側に２段の小径段部６ａ、６ｂを有しており、その中央寄りの段部６ａを大径部６ｃが通らない幅に形成された固定部材１および外筒部材５の一側の長孔１ｂ、２ｂに通され、固定部材１外に突出する段部６ｂにワッシャ７を嵌められて、固定部材１および可動筒２から脱落しないようになっている。
【００１７】
また、可動筒２の上下面には、３枚の板片を断面Ｔ字状に一体成形した保持ピース８が取り付けられている。この保持ピース８は、ポリアミド等の合成樹脂で形成されており、その１枚の板片に設けた突部８ａを各筒部材４、５の取付孔２ｃに嵌め込まれ、他の２枚の板片の先端で固定部材１の内面に接して、通常時の可動筒２の保持位置を安定させている。そして、後述するように、可動筒２が固定部材１に対して相対移動するときには、移動方向に延びる板片が他の板片との境界部で折れるようになっている。
【００１８】
さらに、可動筒２の中央部には、矩形のデッドボルト受板９が、ラッチボルトＢ下面と受入口２ａの下端縁との隙間よりも小さい隙間をおいてデッドボルトＡの下方に設けられている。この受板９は、両端部を各筒部材４、５の側壁に設けた係合孔２ｄに挿入されて支持されており、後述するように、ドアＤが可動筒２に対して下方へ相対移動したときには、ラッチボルトＢが可動筒２と接触する前にデッドボルトＡと当接する。
【００１９】
また、前記カバー３は、ドアＤの正面側のみに側壁を有する断面Ｌ字状の部材で、正面壁の中央部に可動筒２と同様の受入口３ａを、正面壁の上下端にドア枠Ｆに向かって傾斜する傾斜部３ｂを有しており、側壁の先端部がドア枠Ｆ側端面に重なり、かつ傾斜部３ｂの先端がドア枠Ｆに近接する状態で可動筒２に取り付けられている。そして、ドアＤとドア枠Ｆとの間で押圧されたときには、上下の傾斜部３ｂが垂直に近づくように変形して、可動筒２と一体に固定部材１の奥側へ移動するようになっている。
【００２０】
図４は、地震発生時に、可動筒２がドアＤ側から外力を受けて、カバー３とともに固定部材１の奥側および下方へ相対移動した状態を示す。このときには、前述したように、カバー３は、ドアＤとドア枠Ｆとの間で押圧されて上下の傾斜部３ｂがほぼ垂直になるまで変形しており、上下の保持ピース８は、図１に示した通常状態で固定部材１内面に接触していた板片のうち、上ピース８の垂直な板片を除く３片が折損している。また、デッドボルトＡは可動筒２の受板９に当接しているが、ラッチボルトＢは可動筒２の受入口２ａの下端縁とは接触していない。
【００２１】
このドア用錠受は、上記のように、ドアＤ側から外力を受けた可動筒２を、カバー３の変形や保持ピース８の折損とともに固定部材１と相対移動させることにより、デッドボルトＡとの干渉を生じにくくしたものである。ここで、可動筒２を保持する保持ピン６を、固定部材１の垂直長孔１ｂおよび可動筒２の水平長孔２ｂに通すようにしたので、従来の錠受に比べて、固定部材１の側壁の窓面積が小さいうえ長孔１ｂと正面側開口との間の距離ＬA が長く（図１参照）、固定部材１の強度が高い。従って、バール等によるこじ開けに対しても変形しにくく、防犯性に優れている。
【００２２】
また、ドアＤが可動筒２に対して下方へ相対移動したときに、ラッチボルトＢが可動筒２と接触する前にデッドボルトＡが受板９に当接するので、地震発生時にラッチボルトＢと可動筒２との干渉によりドアＤを開けられなくなるおそれもない。なお、実施形態の受板９に代えて、図５に示したようなピンと筒からなる受け棒でデッドボルトＡを受けることもできるが、部品点数やコストの面からは単純な形状の受板の方が好ましい。
【００２３】
また、固定部材と可動筒の長孔は、上述した実施形態のように、固定部材の方を垂直、可動筒の方を水平に延びるように形成することが好ましいが、互いに直交しておれば、斜めに延びるようにすることもできる。
【図面の簡単な説明】
【００２４】
【図１】実施形態の錠受の一部切欠き縦断面図
【図２】図１の錠受の分解斜視図
【図３】図１のIII −III線に沿った断面図
【図４】図１の錠受の地震発生時の状態の一例を示す縦断面図
【図５】従来の錠受の一部切欠き縦断面図
【符号の説明】
【００２５】
１  固定部材
１ａ  開口縁部
１ｂ  長孔
２  可動筒
２ａ  受入口
２ｂ  長孔
３  カバー
３ａ  受入口
３ｂ  傾斜部
４  内筒部材
５  外筒部材
６  保持ピン
７  ワッシャ
８  保持ピース
９  デッドボルト受板
Ｄ  ドア
Ｆ  ドア枠
Ａ  デッドボルト
Ｂ  ラッチボルト
【図１】
2006257738.tif 000003
【図２】
2006257738.tif 000004
【図３】
2006257738.tif 000005
【図４】
2006257738.tif 000006
【図５】
2006257738.tif 000007